(57)【要約】  情報記録装置（１）は、所定のパワーのレーザ光（ＬＢ）を照射することによって、記録情報の記録を制御するためのプリ情報（ＬＰＰ）が予め記録されている情報記録媒体（１００）に記録情報を記録する記録手段（５０１）と、プリ情報の再生品質である第１再生品質（ＡＲ特性）が所定の第１基準を満たすパワーで記録情報を記録するように記録手段を制御する制御手段（５０４）とを備える。【特許請求の範囲】
【請求項１】
所定のパワーのレーザ光を照射することによって、記録情報の記録を制御するためのプリ情報が予め記録されている情報記録媒体に前記記録情報を記録する記録手段と、
前記プリ情報の再生品質である第１再生品質が所定の第１基準を満たすパワーで前記記録情報を記録するように前記記録手段を制御する制御手段と
を備えることを特徴とする情報記録装置。
【請求項２】
前記情報記録媒体は、前記記録情報を記録する際の基準記録速度と比較して４倍速以上の記録速度で前記記録情報を記録することを特徴とする請求の範囲第１項に記載の情報記録装置。
【請求項３】
前記プリ情報の前記第１再生品質が前記第１基準を満たす前記パワーで前記記録情報を記録するように前記記録手段が制御されるか、又は前記記録情報の再生品質である第２再生品質としてのジッタ値及びアシンメトリ値の少なくとも一方が所定の第２基準を満たす前記パワーで前記記録情報を記録するように前記記録手段が制御されるかを選択する選択手段を更に備えることを特徴とする請求の範囲第１項に記載の情報記録装置。
【請求項４】
前記４倍速以上の記録速度で前記記録情報を記録する場合には、前記制御手段は、前記プリ情報の前記第１再生品質が前記第１基準を満たす前記パワーで前記記録情報を記録するように前記記録手段を制御し、
前記基準記録速度と比較して４倍速未満の記録速度で前記記録情報を記録する場合には、前記制御手段は、前記記録情報の再生品質である第２再生品質としてのジッタ値及びアシンメトリ値の少なくとも一方が所定の第２基準を満たす前記パワーで前記記録情報を記録するように前記記録手段を制御することを特徴とする請求の範囲第２項に記載の情報記録装置。
【請求項５】
前記制御手段は、前記パワーと前記第１再生品質との相関関係を示す相関情報に基づいて、前記第１再生品質が前記第１基準を満たす前記パワーで前記記録情報を記録するように前記記録手段を制御することを特徴とする請求の範囲第１項に記載の情報記録装置。
【請求項６】
前記記録手段を制御することで、前記パワーを変化させながら前記情報記録媒体に試し記録用の試し情報を記録し、且つ該試し情報が記録された記録領域に予め記録されている前記プリ情報の前記第１再生品質を測定することで、前記相関情報を作成する作成手段を更に備えることを特徴とする請求の範囲第５項に記載の情報記録装置。
【請求項７】
前記記録手段は、前記作成された相関情報を前記情報記録媒体に記録することを特徴とする請求の範囲第６項に記載の情報記録装置。
【請求項８】
前記作成された相関情報を格納するための格納手段を更に備えることを特徴とする請求の範囲第６項に記載の情報記録装置。
【請求項９】
前記プリ情報は、前記情報記録媒体の記録トラック上に形成されているプリピットにより前記情報記録媒体に予め記録されていることを特徴とする請求の範囲第１項に記載の情報記録装置。
【請求項１０】
前記プリピットを再生することで生成されるプッシュプル信号の最大振幅と最小振幅とに基づいて、前記第１再生品質を測定する測定手段を更に備えることを特徴とする請求の範囲第９項に記載の情報記録装置。
【請求項１１】
前記プリピットを再生することで取得される前記プリ情報の再生エラーレートに基づいて、前記第１再生品質を測定する測定手段を更に備えることを特徴とする請求の範囲第９項に記載の情報記録装置。
【請求項１２】
前記プリ情報は、所定周期で揺動する前記情報記録媒体の記録トラックに加えられる変調信号により前記情報記録媒体に予め記録されていることを特徴とする請求の範囲第１項に記載の情報記録装置。
【請求項１３】
前記制御手段は、前記記録情報の再生品質である第２再生品質としてのジッタ値及びアシンメトリ値の少なくとも一方が所定の第２基準を満たす場合において、前記プリ情報の前記第１再生品質が前記第１基準を満たすような前記パワーで前記記録情報を記録するように前記記録手段を制御することを特徴とする請求の範囲第１項に記載の情報記録装置。
【請求項１４】
所定のパワーのレーザ光を照射することによって、記録情報の記録を制御するためのプリ情報が予め記録されている情報記録媒体に前記記録情報を記録する記録工程と、
前記プリ情報の再生品質である第１再生品質が所定の第１基準を満たす前記パワーで前記記録情報を記録するように前記パワーを制御する制御工程と
を備えることを特徴とする情報記録方法。
【請求項１５】
請求の範囲第１項に記載の情報記録装置に備えられたコンピュータを制御する記録制御用のコンピュータプログラムであって、該コンピュータを、前記記録手段及び前記制御手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に関する。
【背景技術】
【０００２】
例えば、光ディスク等の情報記録媒体を記録する情報記録装置においては、光ディスクの種類、情報記録再生装置の種類及び記録速度等に応じて、ＯＰＣ（Optimum Power Control）処理により、最適パワーが設定される。即ち、パワーのキャリブレーション（較正）が行われる。これにより、適切な記録動作を実現できる。例えば、光ディスクが装填されて書き込みのコマンドが入力されると、順次段階的に光強度が切り換えられて試し書き用のデータがパワーキャリブレーションエリアに記録され、いわゆる試し書きの処理が実行される。その後、このようにして記録された試し書き用のデータが再生され、この再生結果が所定の評価基準により判定されて、最適パワーが設定される。この評価基準として、例えば特許文献１に示すようにアシンメトリに基づいて評価する手法や、或いは特許文献２に示すようにジッタ値に基づいて評価する手法等がある。【０００３】
一方で、これらの情報記録媒体に対してデータを記録するための記録速度は技術の進歩と共に増加しており、例えば２倍速の記録速度や４倍速の記録速度等が実現されている。【０００４】
【特許文献１】特開第２００３−５９０４８号公報
【特許文献２】特開第２００２−３５２５１７号公報
【発明の開示】
【発明が解決しようとする課題】
【０００５】
しかしながら、このようにデータの記録速度が増加すると光ディスクの回転速度もそれに伴って増加するため、レーザ光が照射される条件が相対的に遅い記録速度の場合と比較して異なってくる。このため、相対的に早い記録速度の場合には、上述するような従来のＯＰＣを行ってパワーのキャリブレーションを行ったとしても、光ディスクに適切にデータを記録することができないという技術的な問題点を有している。即ち、光ディスクに高速にデータを記録した場合、データを記録した後のランドプリピットの再生品質が悪化するがゆえに、適切にこのランドプリピットを再生することができないという技術的な問題点を有している。【０００６】
本発明は、例えば上述した従来の問題点に鑑みなされたものであり、例えば光ディスク等の情報記録媒体に記録されるデータの再生品質を悪化させることなくデータの記録を行うことを可能とならしめる情報記録装置及び方法並びにコンピュータをこのような情報記録装置として機能させるコンピュータプログラムを提供することを課題とする。
【課題を解決するための手段】
【０００７】
（情報記録装置）
本発明の情報記録装置は上記課題を解決するために、所定のパワーのレーザ光を照射することによって、記録情報の記録を制御するためのプリ情報が予め記録されている情報記録媒体に前記記録情報を記録する記録手段と、前記プリ情報の再生品質である第１再生品質が所定の第１基準を満たす前記パワーで前記記録情報を記録するように前記記録手段を制御する制御手段とを備える。【０００８】
本発明の情報記録装置によれば、記録手段の動作により、情報記録媒体にレーザ光を照射することで記録情報を記録することができる。【０００９】
本発明では特に、記録情報の記録を制御するためのプリ情報（例えば、後述のＬＰＰ）の再生品質である第１再生品質（例えば、後述のＡＲ（Aperture Ratio）特性等）が所定の第１基準を満たすようなパワー（例えば、後述する実施例における最適レーザパワー）で記録情報を記録するように記録手段を制御する制御手段を備えている。ここに、「所定の第１基準」とは、あるレーザパワーで記録された記録情報を再生した際のプリ情報の第１再生品質が好適な状態ないし数値を実現できるような基準を示す。即ち、第１再生品質が所定の第１基準を満たすような記録情報は、好適な再生が担保される。この所定の第１基準は予め定められているものであってもよいし、或いは記録動作に応じて適宜設定するものであってもよい。【００１０】
これにより、可変なパワーを有するレーザ光を照射させる情報記録装置において、好適に最適なパワーで記録情報を記録することが可能となる。従って、本発明に係る情報記録装置によれば、好適な再生品質を実現可能な記録情報を記録することが可能となる。【００１１】
尚、従来の情報記録装置においては、記録される記録情報の再生品質は、ＯＰＣ（Optimum Power Control）等により検出された最適なパワーに委ねられている。特にＯＰＣ等にあっては再生品質として、記録情報のアシンメトリやジッタ値等が好適な状態となるように最適なパワーの検出がなされている。しかし、特に高速記録時には、再生情報のアシンメトリ比やジッタ値が良好となるようなパワーのレーザ光で記録した場合であっても、その他の再生品質（例えば、プリ情報の第１再生品質）が悪化してしまうおそれもあった。しかるに本発明に係る情報記録装置では、記録情報の再生品質が好適な状態となるように（特に、プリ情報の第１再生品質が第１基準を満たすように）、記録情報の好適な再生品質を実現すべく記録手段が制御される（即ち、パワーが制御される）。このため、従来の情報記録装置によって記録される記録情報の再生品質と比較して、その再生品質をより向上させることが可能となる。【００１２】
以上の結果、本発明に係る情報記録装置によれば、適切なパワーのレーザ光によって記録情報を記録することができる。それに伴って、記録される記録情報の再生品質をより向上させることが可能となる。【００１３】
本発明の情報記録装置の一の態様は、前記情報記録媒体は、前記記録情報を記録する際の基準記録速度と比較して４倍速以上の記録速度で前記記録情報を記録可能である。【００１４】
この態様によれば、特に高速記録時（即ち、基準記録速度たる１倍速の記録速度と比較して概ね４倍速以上の記録速度での記録時）において問題となる記録情報を記録した後のプリ情報の読取特性の悪化を効果的に防ぐことができる。従って、低速記録時においても高速記録時においても、記録情報の再生品質（特に、プリ情報の第１再生品質）の向上を図ることが可能となる。【００１５】
言い換えれば、本発明に係る情報記録装置は、従来のＯＰＣにおける最適レーザパワーの検出のための評価基準となっているアシンメトリやジッタ値を、プリ情報の第１再生品質に単に変更したものでは決してない。即ち、本発明によれば、アシンメトリやジッタ値を許容範囲内に収めながらも、高速記録時において特に問題となるプリ情報の再生品質を向上させることを主眼に新たな効果を奏するものであり、従来のＯＰＣでは解決できない高速記録時におけるプリ情報の再生品質の悪化を効果的に避ける（即ち、再生品質を効果的に向上させる）ことができるという特有の効果を有しているものである。【００１６】
上述の如く高速な記録速度で記録情報を記録可能な情報記録装置の態様では、前記４倍速以上の記録速度で前記記録情報を記録する場合には、前記制御手段は、前記プリ情報の前記第１再生品質が前記第１基準を満たす前記パワーで前記記録情報を記録するように前記記録手段を制御し、前記基準記録速度と比較して４倍速未満の記録速度で前記記録情報を記録する場合には、前記制御手段は、前記記録情報の再生品質である第２再生品質としてのジッタ値及びアシンメトリ値の少なくとも一方が所定の第２基準を満たす前記パワーで前記記録情報を記録するように前記記録手段を制御するように構成してもよい。【００１７】
このように構成すれば、４倍速以上の比較的高速な記録速度での記録動作時と４倍速未満の比較的低速な記録速度での記録動作時とで、パワーを制御する際の基準を分けることができる。従って、特に高速記録時に問題となる記録情報を記録した後のプリ情報の再生品質の悪化を高速記録時には効果的に防ぐことができる。他方でこのプリ情報の再生品質の悪化がさほど大きな問題とならない低速記録時には他の再生品質たるジッタ値やアシンメトリをより良好な状態に保つことができる。従って、全体としてみれば低速記録時においても高速記録時においても、記録される記録情報の再生品質を好適に向上させることが可能となる。【００１８】
本発明の情報記録装置の他の態様は、前記制御手段により、前記プリ情報の前記第１再生品質が前記第１基準を満たす前記パワーで前記記録情報を記録するように前記記録手段が制御されるか、又は前記記録情報の再生品質である第２再生品質としてのジッタ値及びアシンメトリ値の少なくとも一方が所定の第２基準を満たす前記パワーで前記記録情報を記録するように前記記録手段が制御されるかを選択する選択手段を更に備える。【００１９】
この態様によれば、選択手段の動作により、適宜記録手段の制御方法を変更することができるため、必要に応じてより好適な手法で記録手段を制御することができる。従って、記録される記録情報の品質をより好適に向上させることが可能となる。【００２０】
本発明の情報記録装置の他の態様は、前記制御手段は、前記パワーと前記第１再生品質との相関関係を示す相関情報に基づいて、前記第１再生品質が前記第１基準を満たす前記パワーで前記記録情報を記録するように前記記録手段を制御する。【００２１】
この態様によれば、相関情報に基づいて、適切に記録手段を制御することができる。従って、情報記録媒体に記録される記録情報の再生品質を向上させることが可能となる。【００２２】
上述の如く相関情報に基づいて記録手段を制御する情報記録装置の態様では、前記記録手段を制御することで、前記パワーを変化させながら前記情報記録媒体に試し記録用の試し情報を記録し、且つ該試し情報が記録された記録領域に予め記録されている前記プリ情報の前記第１再生品質を測定することで、前記相関情報を作成する作成手段を更に備えるように構成してもよい。【００２３】
この態様によれば、例えば後述のＯＰＣの如く、パワーを段階的に或いは連続的に変化させながら試し情報を記録することで、相関情報を好適に作成することができる。このため、この作成された相関情報に基づいて、パワーを適切に制御することが可能となる。特に、実際に記録される記録情報と再生品質との相関関係に基づいて記録手段を制御しているため、情報記録装置毎のばらつきや情報記録媒体毎のばらつき等によらず、好適に記録手段を制御することができる。【００２４】
上述の如く作成手段を備える情報記録装置の態様では、前記記録手段は、前記作成された相関情報を前記情報記録媒体に記録するように構成してもよい。【００２５】
このように構成すれば、一度作成した相関情報を、作成後も継続して使用することが可能となる。従って、改めてパワーを制御する際に再度相関情報を作成するという手間を省くことができる。【００２６】
特に、情報記録媒体に記録するため、当該情報記録媒体を情報記録装置からイジェクトした後に新たに別の情報記録装置にローディングした場合であっても、情報記録媒体中に記録された相関情報を用いて、上述の如く記録手段を適切に制御することができる。【００２７】
上述の如く作成手段を備える情報記録装置の態様では、前記作成された相関情報を格納するための格納手段を更に備えるように構成してもよい。【００２８】
このように構成すれば、一度作成した相関情報を、作成後も使用し続けることが可能となる。従って、改めて記録手段を制御する際に再度相関情報を作成するという手間を省くことができる。【００２９】
特に、情報記録装置自身が備える格納手段に相関情報を格納するため、相関情報を作成した情報記録媒体とは異なる他の情報記録媒体に記録情報を記録する際にも、当該相関情報を用いてパワーを制御することが可能となる。特に、同一種類、同一品質、同一製造元等の情報記録媒体に記録をする際に有効となる。【００３０】
このとき、相関情報を、情報記録媒体の識別番号（例えば、製造者番号やディスクＩＤ等）毎に区分して格納することが好ましい。【００３１】
本発明の情報記録装置の他の態様は、前記プリ情報は、前記情報記録媒体の記録トラック上に形成されているプリピットにより前記情報記録媒体に予め記録されている。【００３２】
この態様によれば、情報記録媒体としての一例であるＤＶＤ−ＲやＤＶＤ−ＲＷ等において、記録手段を適切に制御することができるがゆえに、当該情報記録媒体に記録される記録情報の再生品質（特に、プリ情報の再生品質）を好適に向上させることが可能となる。【００３３】
上述の如くプリピットによりプリ情報が予め記録されている情報記録装置の態様では、前記プリピットを再生することで生成されるプッシュプル信号の最大振幅と最小振幅とに基づいて、前記プリ情報の第１再生品質を測定する測定手段を更に備えるように構成してもよい。【００３４】
このように構成すれば、プッシュプル信号に基づいて、プリ情報の再生品質である第１再生品質を適切に測定することができる。従って、この測定された第１再生品質に基づいて、適切に記録手段を制御することができる。【００３５】
上述の如くプリピットによりプリ情報が記録されている情報記録媒体に記録情報を記録する情報記録媒体の態様では、前記プリピットを再生することで取得される前記プリ情報の再生エラーレートに基づいて、前記第１再生品質を測定する測定手段を更に備えるように構成してもよい。【００３６】
このように構成すれば、プリ情報のエラーレートに基づいて、プリ情報の再生品質である第１再生品質を適切に測定することができる。従って、この測定された第１再生品質に基づいて、適切に記録手段を制御することができる。【００３７】
本発明の情報記録装置の他の態様は、前記プリ情報は、所定周期で揺動する前記情報記録媒体の記録トラックに加えられる変調信号により前記情報記録媒体に予め記録されている。【００３８】
この態様によれば、情報記録媒体としての一例であるＤＶＤ＋ＲやＤＶＤ＋ＲＷやＤＶＤ−ＲＡＭ等において、記録手段を適切に制御することができるがゆえに、当該情報記録媒体に記録される記録情報の再生品質（特に、プリ情報の再生品質）を好適に向上させることが可能となる。【００３９】
本発明の情報記録装置の他の態様では、前記制御手段は、前記記録情報の再生品質である第２再生品質としてのジッタ値及びアシンメトリ値の少なくとも一方が所定の第２基準を満たす場合において、前記プリ情報の前記第１再生品質が前記第１基準を満たすような前記パワーで前記記録情報を記録するように前記記録手段を制御する。【００４０】
このように構成すれば、記録情報の記録後のプリ情報の再生品質のみならず、記録情報に係る他の再生品質たるジッタ値やアシンメトリの向上をも十分に考慮して記録手段を制御することが可能となる。従って、情報記録媒体により好適に記録情報を記録することが可能となる。【００４１】
（情報記録方法）
本発明の情報記録方法は上記課題を解決するために、所定のパワーのレーザ光を照射することによって、記録情報の記録を制御するためのプリ情報が予め記録されている情報記録媒体に前記記録情報を記録する記録工程と、前記プリ情報の再生品質である第１再生品質が所定の第１基準を満たす前記パワーで前記記録情報を記録するように前記パワーを制御する制御工程とを備える。【００４２】
本発明の情報記録方法によれば、上述した本発明の情報記録装置と同様の各種利益を享受することができる。【００４３】
尚、上述した本発明の情報記録装置における各種態様に対応して、本発明に係る情報記録方法も各種態様を採ることが可能である。【００４４】
（コンピュータプログラム）
本発明に係るコンピュータプログラムは上記課題を解決するために、コンピュータを上述した情報記録装置（但し、その各種形態も含む）として機能させる。より具体的には、コンピュータを上述した情報記録装置における前記記録手段及び前記制御手段のうち少なくとも一部として機能させる。【００４５】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００４６】
尚、上述した本発明の情報記録装置における各種態様に対応して、本発明のコンピュータプログラムも各種態様を採ることが可能である。【００４７】
コンピュータ読取可能な媒体内のコンピュータプログラム製品は上記課題を解決するために、コンピュータにより実行可能なプログラム命令を明白に具現化し、該コンピュータを、上述した情報記録装置における前記記録手段及び前記制御手段のうち少なくとも一部として機能させる。【００４８】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した情報記録装置における前記記録手段及び前記制御手段のうち少なくとも一部を比較的容易に実施可能となる。更に具体的には、当該コンピュータプログラム製品は、上述した情報記録装置における前記記録手段及び前記制御手段のうち少なくとも一部として機能させるコンピュータ読取可能なコード（或いはコンピュータ読取可能な命令）から構成されてよい。【００４９】
本発明のこのような作用及び他の利得は次に説明する実施例から明らかにされる。【００５０】
以上説明したように、本発明の情報記録装置又は方法によれば、記録手段及び制御手段、又は記録工程及び制御工程を備える。従って、レーザ光のパワーを適切に制御しながら記録情報を記録することができ、その結果記録される記録情報の再生品質をク尾的に向上させることが可能となる。
【図面の簡単な説明】
【００５１】
【図１】本発明の情報記録装置に係る実施例に用いられる情報記録媒体の一例たる光ディスクの基本構造を示し、上側部分は複数のエリアを有する光ディスクの概略平面図であり、これ
【図２】本発明の情報記録装置に係る実施例の基本構成を概念的に示すブロック図である。
【図３】本実施例に係る情報記録装置において、記録動作全体の流れを概念的に示すフローチャートである。
【図４】本実施例に係る情報記録装置における第１動作例に係る最適レーザパワーの検出動作の流れを概念的に示すフローチャートである。
【図５】本実施例に係る情報記録装置の動作において、１６パワーステップの場合の１回のＯＰＣ処理を示した模式的タイミングチャート図である。
【図６】本実施例に係る情報記録装置において、ＯＰＣ動作により作成された相関グラフである。
【図７】本実施例に係る情報記録装置により作成される、レーザパワーと再生品質（ＡＲ特性及びジッタ値）との相関関係を概念的に示す相関グラフである。
【図８】本実施例に係る情報記録装置により作成される、レーザパワーと再生品質（ＡＲ特性及びアシンメトリ）との相関関係を概念的に示す相関グラフである。
【図９】高速記録時と低速記録時の夫々において形成される記録マークの形状を概念的に説明する斜視図である。
【図１０】本実施例に係る情報記録装置の第２動作例に係る最適レーザパワーの検出動作の流れを概念的に示すフローチャートである。
【符号の説明】
【００５２】
１  情報記録装置
１００  光ディスク
５０１  光ピックアップ
５０３  ＲＦアンプ
５０４  レーザドライブ回路
５０５  ＯＰＣ回路
５１３  ＬＰＰエラーレート検出器
５２１  ＲＦ振幅測定回路
５４０  ジッタ測定回路
５５０  ＣＰＵ
５６０  メモリ
【発明を実施するための最良の形態】
【００５３】
以下、本発明を実施するための最良の形態について実施例毎に順に図面に基づいて説明する。【００５４】
以下、本発明の実施例を図面に基づいて説明する。【００５５】
先ず、図１を参照して、本発明の情報記録装置に係る実施例において用いられる情報記録媒体について説明する。本実施例では、情報記録媒体として記録型の光ディスクを用いて説明を進める。ここに、図１は、上側に複数のエリアを有する光ディスクの構造を概略平面図で示すと共に、下側にその径方向におけるエリア構造を概念図で対応付けて示すものである。【００５６】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウトエリア１０８は更に細分化された構成であってもよい。【００５７】
（情報記録装置の実施例）
続いて、図２から図１０を参照して、本発明の情報記録装置に係る実施例について説明する。【００５８】
（１）基本構成
先ず、図２を参照して実施例に係る情報記録装置の基本構成について説明する。ここに、図２は、本実施例に係る情報記録装置の基本構成を概念的に示すブロック図である。【００５９】
図２に示すように、本実施例に係る情報記録装置１は、光ピックアップ５０１、スピンドルモータ５０２、ＲＦ（Radio Frequency）アンプ５０３、レーザドライブ回路５０４、ＯＰＣ（Optimum Power Control）回路５０５、トラッキングサーボ回路５０６、アクチュエータドライブ回路５０７、ＬＰＰ（Land Pre Pit）検出器５１０、ＧＡＴＥ作成回路５１１、ＬＰＰデータ検出器５１２、ＬＰＰエラーレート検出器５１３、イコライザ５２０、ＲＦ振幅測定回路５２１、２値化回路５３０、デコーダ５３１、ＰＬＬ（Phase Locked Loop）５３２、ジッタ計測回路５４０、ＣＰＵ５５０、メモリ５６０を含んで構成されている。【００６０】
光ピックアップ５０１は、本発明における「記録手段」の一具体例であって、光ディスク１００への記録又は再生を行うもので、半導体レーザ装置、各種レンズ、アクチュエータ等から構成される。より詳細には、光ピックアップ５０１は、光ディスク１００に対してレーザ光ＬＢ等の光ビームを、再生時には読み取り光として第１のパワーで照射し、記録時には書き込み光として第２のパワーで且つ変調させながら照射する。このようなレーザ光ＬＢのパワー調整は、後述する「制御手段」の一具体例たるレーザドライブ回路５０４の制御の下に行われる。より具体的には、所定のパルスストラテジに規定される駆動パルスにより半導体レーザ装置が駆動されることで、所定のレーザパワーを有するレーザ光ＬＢが照射される。また、光ピックアップ５０１は、トラッキングサーボ回路５０７により駆動されるアクチュエータドライブ回路５０８、図示しないスライダ等により光ディスク１００の半径方向等に移動できるように構成されている。【００６１】
スピンドルモータ５０２は、図示しないサーボ回路等によりスピンドルサーボを受けつつ所定速度で光ディスク１００を回転させるように構成されている。【００６２】
ＲＦアンプ５０３は、光ピックアップ５０１から照射されるレーザ光ＬＢの反射光を受光する図示しないＰＤ（Photo Detector）から出力される信号を増幅し、該増幅した信号を出力する。具体的には、読取信号たるＲＦ信号（或いは、ＬＰＰ信号やウォブル信号等）がＬＰＰ検出器５１０やイコライザ５２０や２値化回路５３０やジッタ計測回路５４０に出力される。【００６３】
レーザドライブ回路５０４は、本発明における「制御手段」の一具体例であって、後述のＯＰＣ処理時には、後述のＯＰＣパターンの記録及び再生処理により最適なレーザパワーの検出が行えるように、光ピックアップ５０１内に設けられた半導体レーザを駆動する。その後、データ記録時には、ＯＰＣ処理により検出された最適なレーザパワーで、光ピックアップ５０１の半導体レーザを駆動するように構成されている。このデータ記録時には、最適レーザパワーは、記録データに応じて変調される。【００６４】
ＯＰＣ回路５０５は、記録動作前のＯＰＣ処理におけるＯＰＣパターンの記録時に、ＯＰＣパターンを示す信号を、レーザドライブ回路５０４に対して出力するように構成されている。なお、ＯＰＣ処理についての説明は、後に詳述する（図５等参照）。【００６５】
トラッキングサーボ回路５０７は、光ピックアップ５０１からの読取信号たるＲＦ信号よりトラッキングエラー信号等の各種サーボ信号を検出可能に構成されている。そして、この各種サーボ信号は、アクチュエータドライブ回路５０８や或いはスピンドルモータ５０２へ出力可能に構成されている。【００６６】
アクチュエータドライブ回路５０８は、トラッキングサーボ回路５０７から出力される各種サーボ信号に基づき、光ディスク１００の径方向或いは回転方向への光ピックアップ５０１の移動を制御可能に構成されている。そして、アクチュエータドライブ回路５０７によりその移動が制御されている光ピックアップ５０１により、光ディスク１００の所望の記録位置にレーザ光ＬＢが照射されることで各種データを記録することが可能となる。【００６７】
ＬＰＰ検出器５１０は、ＲＦアンプ５０３からの受光量に応じた出力信号に基づいて、ＬＰＰ信号を示すプッシュプル信号を検出可能に構成されている。このとき、プッシュプル信号を検出するために、光ピックアップ５０１の受光素子は、例えば２分割或いは４分割等複数の領域に分けてレーザ光ＬＢの反射光を受光可能に構成されていることが好ましい。【００６８】
尚、ＬＰＰとは、本発明における「プリ信号」の一具体例であって、光ディスク１００の一具体例としてのＤＶＤ−Ｒ／ＲＷ等の記録トラック（特に、ランドトラック）上に予め形成されているピットであって、例えば光ディスク１００上のアドレス位置や、データ記録時の記録クロック信号の生成のために用いられる。【００６９】
ＧＡＴＥ作成回路５１１は、ＬＰＰデータを検出するためのゲート信号を作成可能に構成されている。具体的には、ＬＰＰが形成されているウォブルを対象としてゲート信号を作成することで、ＬＰＰデータを検出可能にすると共に、ＬＰＰデータに含まれるノイズを効果的に除去することができる。もちろん、ウォブル信号を検出して作成されるゲート信号を用いてもＬＰＰデータを検出することができることはいうまでもない。【００７０】
ＬＰＰデータ検出器５１２は、ＬＰＰ検出器５１０より出力されるＬＰＰ信号から、ＧＡＴＥ作成回路５１１により作成されたゲート信号に基づいて、ＬＰＰデータを検出可能に構成されている。例えばＬＰＰデータより、光ディスク１００上におけるアドレス位置を示すプリフォーマットアドレス情報や、記録動作の際のクロックを示す情報を検出可能に構成されている。【００７１】
ＬＰＰエラーレート検出器５１３は、ＬＰＰデータ検出器５１２において検出されたＬＰＰデータのエラーの発生率（即ち、エラーレート）を検出可能に構成されている。このエラーレートは、例えば記録後ＬＰＰ特性（或いは、ＢＥＲＬＰＰａ：Block Error Rate LPP after）と称され、ＡＲ特性と同様の数値を示すものである。【００７２】
ここで、ＡＲ特性について簡単な説明を加える。光ピックアップ５０１は、図示しない２分割受光回路を備えており、夫々の分割再生信号からプッシュプル信号を生成することが出来る。そして、このプッシュプル信号成分のうち光ディスク１００上に設けられている記録トラックであるグループトラックとグルーブトラックとの間に存在するＬＰＰ（ランドプリピット）信号成分の最大振幅（即ち、ＬＰＰが存在するときのレベル）と最小振幅（即ち、実際にはＬＰＰが存在しないときのレベルであって、Wobble centerの位置）との比率をＡＲ特性と称している。例えば、ＤＶＤ−Ｒ／ＲＷ上に設けられているＬＰＰを再生したときの再生信号をオシロスコープ上で重ね合わせることで、その再生信号の最大振幅と最低振幅とを認識することができ、これよりＡＲ特性を算出することができる。但し、実際の情報記録装置１においては、ＬＰＰデータのエラーレートを算出することで、ＡＲ特性の測定と同等の確認が可能であり、同等の動作を行なうことができる。【００７３】
ＬＰＰ信号にはアドレス情報や記録時に必要なDISC固有の記録ストラテジ情報等が記録されている。また、ＬＰＰ信号は、最初にデータを記録するときや途中からデータを記録する（即ち、追記する）ときに特に必要な記録クロックを生成するために必要な基本信号であり、DVD-R/RWシステムでは重要な信号である。しかしながら、ＬＰＰ信号はグルーブトラック上にデータが記録されると、その信号品質が劣化するため、記録後のＬＰＰ信号品質を規格で規定している（ＤＶＤ  Ｓｐｅｃｉｆｉｃａｔｉｏｎｓ  ｆｏｒ  Ｒｅｃｏｒｄａｂｌｅ  Ｄｉｓｃを参照）。それを数値であらわしたのがＡＲ特性であるといえる。【００７４】
イコライザ５２０は、ＲＦアンプ５０３により検出されたＲＦ信号等に対して所定のフィルタリング（或いは、信号処理）を行い、且つフィルタリング後の信号（例えば、エンベロープ検波等）をＲＦ振幅測定回路５２１へ出力可能に構成されている。【００７５】
ＲＦ振幅測定回路５２１は、ＯＰＣ処理におけるＯＰＣパターンの再生時に、ＣＰＵ５５０の制御下で、最適レーザパワー（即ち、本発明における「第１基準を満たすパワー」の一具体例）を検出するために、ＲＦアンプ５０３からの出力信号たるＲＦ信号のエンベロープ検波のピーク値及びボトム値を検出するように構成されている。係るＲＦ振幅測定回路５２１は、例えばＡ／Ｄ（Analog/Digital）コンバータ等を含んでいるように構成されてもよい。【００７６】
２値化回路５３０は、ＲＦアンプ５０３により検出されたＲＦ信号等から２値化信号を作成可能に構成されている。具体的には、例えば検出されたＲＦ信号等よりパルス列を作成する。そして、２値化された信号をデコーダ５３１及びＰＬＬ５３２の夫々へ出力可能に構成されている。【００７７】
デコーダ５３１は、２値化回路５３０で２値化されたＲＦ信号に復調等を施すことで、再生データをバッファや外部出力インタフェース経由で外部へ出力可能に構成されている。そして、当該外部出力インタフェースに接続された外部出力機器（例えば、液晶ディスプレイやプラズマディスプレイ等の表示デバイス、或いはスピーカ等）において、所定のコンテンツが再生出力されることとなる。【００７８】
ＰＬＬ５３２は、２値化回路５３０から出力される２値化信号（特に、２値化されたＬＰＰ信号やウォブル信号）に基づいて、記録動作時の基準となるクロック信号を生成可能に構成されている。【００７９】
ジッタ計測回路５４０は、ＲＦアンプ５０３により検出されたＲＦ信号からジッタ値を検出可能に構成されている。【００８０】
ＣＰＵ５５０は、当該情報記録装置１全体の動作を制御するべく、例えば、トラッキングサーボ回路５０６や記録アサインストラテジ検出器５１４やＲＦ振幅測定回路５２１やジッタ計測回路５４０等からデータを受け取り、その後の制御動作を行なう。そして、これらのデータに基づき、情報記録装置１が備える各手段に対してシステムコマンドを出力することで、情報記録装置１全体の制御を行う。通常、ＣＰＵ５５０が動作するためのソフトウェアは、例えば外部のメモリ内に格納されている。【００８１】
メモリ５６０は、例えばＲＡＭ（Random Access Memory）やフラッシュメモリ等の半導体メモリを含んでなり、情報記録装置１の動作に必要な各種データを一時的に記録可能に構成されている。また、後述するように相関式や最適レーザパワーや相関情報等を記録可能に構成されている。【００８２】
尚、上述した情報記録装置１においては、本発明の特徴をより分かりやすく説明するために、本実施例において必要となる構成要件を抜き出して図示している。このため、上述した構成要件以外の構成要件を備えていても良いことはいうまでもない。【００８３】
（動作原理）
続いて、図３から図１０を参照して、本実施例に係る情報記録装置１の動作原理について説明する。【００８４】
（１）記録動作全体
先ず、図３を参照して、本実施例に係る情報記録装置１の、各種データを記録する際の記録動作全体の流れについて説明する。ここに、図３は、本実施例に係る情報記録装置１の記録動作全体の流れを概念的に説明するフローチャートである。【００８５】
図３に示すように、先ず光ディスク１００が情報記録装置にローディングされる（ステップＳ１０１）。そして、ＣＰＵ５５０の制御下で、光ピックアップ５０１によりシーク動作が行われ、光ディスク１００への記録処理に必要な各種管理用データが取得される。特に、リードインエリア１０４におけるランドプリピット（ＬＰＰ）を読み取ることで、予め定められている所定の（或いは、デフォールトとしての）パルスストラテジを取得する。この管理用データに基づいて、ＣＰＵ５５０の制御により、例えば外部入力機器等からの指示に応じて、例えば外部入力インタフェース等を介して光ディスク１００へのデータの記録が行われる。【００８６】
このローディング動作の後、実際にデータを記録する際の最適レーザパワーが検出される（ステップＳ１０２）。この最適レーザパワーの検出動作については、後に詳述する（図４等参照）。【００８７】
そして、実際に記録すべきデータを光ディスク１００の所定のアドレス位置より記録する（ステップＳ１０３）。ここではステップＳ１０２で検出された最適レーザパワーに応じた駆動パルスによってレーザ光ＬＢが照射されるように、ＣＰＵ５５０の制御の下に、レーザドライブ回路５０４の動作によって光ピックアップ５０１（より具体的には、半導体レーザ装置）が制御される。そして、図１に示すデータ記録エリア１０６にデータが主として記録される。【００８８】
具体的には、外部入力インタフェース等より入力される記録用のデータは、ＤＶＤモジュレータによりＤＶＤ変調（例えば、８−１６変調）が施される。そして、変調が施されたデータに対して、データ誤り訂正用の符号たるＥＣＣコードが、例えば所定のブロック単位（例えば、ＥＣＣブロック単位）毎に付加される。その後、光ピックアップ５０１より所望のレーザ光ＬＢが照射されることで、変調が施され且つＥＣＣコードが付加された記録用のデータが記録ピット、記録マーク或いは記録パターンとして光ディスク１００上に記録される。【００８９】
その後、全てのデータの記録が終了したか否かを判定する（ステップＳ１０４）。この判定の結果、全てのデータの記録が終了したと判定された場合（ステップＳ１０４：Ｙｅｓ）、そのまま記録動作を終了し、必要に応じてＤＶＤ−ＲＯＭとの互換性を保つためのファイナライズ処理を施したり、或いは光ディスク１００を情報記録装置１からイジェクトするように構成してもよい。【００９０】
続いて、図４から図１０を参照して、図３のステップＳ１０２における最適レーザパワーの検出動作について説明を進める。ここでは、この検出動作として、第１動作例として、データの記録速度に係わらずＡＲ特性に基づいて最適レーザパワーを検出する検出動作を行なう具体例と、第２動作例として、データの記録速度に応じて最適レーザパワーを検出する手法を切り替える検出動作を行なう具体例について説明を進める。【００９１】
（２）第１動作例
先ず、図４から図９を参照して、第１動作例について説明する。ここでは、図４を参照して検出動作全体の流れを説明しながら、適宜他の図面を参照することで第１動作例を説明する。ここに、図４は、第１動作例に係る最適レーザパワーの検出動作の流れを概念的に示すフローチャートである。【００９２】
図４に示すように、先ずＯＰＣ処理を行なう（ステップＳ２０１）。ここで、ＯＰＣ処理について、図５を参照しながら詳細な説明を加える。ここに、図５は、本実施例に係る情報記録装置の動作において、１６パワーステップの場合の１回のＯＰＣ処理を示した模式的タイミングチャート図である。【００９３】
まず、ＣＰＵ５５０による制御下で、光ピックアップ５０１が光ディスク１００上の例えばリードインエリア１０４等に設けられたＰＣＡ（Power Control Area）へ移動される。そして、順次段階的に（例えば、相互に異なる１６段階の）レーザパワーが切り換えられて、ＯＰＣパターン等のテスト信号がＰＣＡに記録される。具体的には、ＯＰＣ回路５０５により生成される図５に示すような基準ＯＰＣパターン等のテスト信号が記録される。テスト信号としては、例えば３Ｔ〜１１Ｔないしは１４Ｔのランダムパターンが一つの例として挙げられる。このようなＯＰＣパターンは、ＣＰＵ５５０の制御の下に、所定のストラテジに従って作成される。図５では、段階的に切り替えられるレーザパワー毎に、ランダムパターンのうち３Ｔパターンのテスト信号を記録する第１ピット区間及び１１Ｔパターンのテスト信号を記録する第２ピット区間を含んだＯＰＣパターンを記録する態様を一具体例として示している。もちろん、段階的に切り替えられるレーザパワー毎に、異なるＯＰＣパターンを用いるように構成してもよい。【００９４】
レーザドライブ回路５０４は、このＯＰＣパターンにより、レーザパワーを順次段階的に切り換えるように、光ピックアップ５０４内の半導体レーザを駆動する。【００９５】
その後、このようなＰＣＡへのＯＰＣパターンの記録完了後には、ＣＰＵ５５０の制御下で、該ＰＣＡにおける記録部分（即ち、ＯＰＣパターン）が再生される。そして、段階的に切り替えられたレーザパワー毎に、再生されたＲＦ信号より、各種再生品質を検出する。例えば、ＲＦ振幅測定回路５２１の動作により測定されるＲＦピーク値及びＲＦボトム値からアシンメトリ（或いは、β値）を検出したり、ジッタ計測回路５４０の動作によりジッタ値を検出したり、ＬＰＰデータ検出器５１２或いはＬＰＰエラーレート検出器５１３の動作によりＡＲ特性（或いは、記録後ＬＰＰ特性）を検出したりしてもよい。このような再生品質の検出が、段階的に切り替えられたレーザパワー毎に、１回のＯＰＣ処理において、例えば記録されたＯＰＣパターンの回数に応じて行われる。【００９６】
再び図４において、ＯＰＣ処理の結果に基づいて、ＣＰＵ５５０の制御の下に、レーザパワーと各種再生品質（例えば、ＡＲ特性やアシンメトリやジッタ値等）との相関関係を示す相関情報を作成する（ステップＳ２０２）。この相関情報により、図６に示すような、順次段階的に切り替えられたレーザパワーとそのレーザパワーにて記録されたＯＰＣパターンの各種再生品質との関係を示す情報を作成することができる。なお、図６は、ＯＰＣ動作により作成された相関情報を概念的に示すグラフである。【００９７】
例えば、アシンメトリを縦軸に、段階的に切り替えられたレーザパワーを横軸にとるグラフ上において、ＯＰＣパターンの再生により得られたアシンメトリをプロットし、且つ近似曲線で結ぶことで、図６（ａ）に示すような相関情報を得ることができる。係る近似曲線は、例えば最小二乗法等の数学的又は統計的手法を用いて作成することができる。【００９８】
また、他の再生品質たるＡＲ特性においても同様に、図６（ｂ）に示すような相関情報を作成することができる。このレーザパワーとＡＲ特性との相関関係を示す相関情報が、本発明における「相関情報」の一具体例に相当する。また、他の再生品質たるジッタ値においても同様に、図６（ｃ）に示すような相関情報を作成することができる。【００９９】
尚、ＯＰＣパターンの再生によって得られるレーザパワーと各種再生品質との関係に応じて、例えば数学的に演算等を行うことで最適レーザパワーを検出するものとしてもよい。【０１００】
再び図４において、ＣＰＵ５５０の制御の下に、ステップＳ２０２で作成された相関情報に基づいて、ジッタボトム（即ち、ジッタ値が最小）又はアシンメトリが“０”となるようなレーザパワーに対応するＡＲ特性が最大値を有するか否かが判定される（ステップＳ２０３）。【０１０１】
本実施例に係る情報記録装置１は、データの再生品質のうちＡＲ特性を特に重要視して最適比を決めるように構成されている。そして、この「ＡＲ特性が最大値を有する」条件が、本発明における「所定の第１基準」の一具体例に相当する。また、「ジッタボトム（即ち、ジッタ値が最小）又はアシンメトリが“０”となる」条件が、本発明における「所定の第２基準」の一具体例に相当する。【０１０２】
この判定の結果、ジッタボトム又はアシンメトリが“０”となるようなレーザパワーに対応するＡＲ特性が最大値を有していないと判定された場合（ステップＳ２０３：Ｎｏ）、ＡＲ特性が最大値を有するようなレーザパワーが最適レーザパワーとして検出される。但し、このときも、最適レーザパワーに対応するジッタ値やアシンメトリが規格上良好な値を有している（即ち、ジッタ値やアシンメトリが最適である）ことがより好ましい。【０１０３】
他方、ジッタボトム又はアシンメトリが“０”となるようなレーザパワーに対応するＡＲ特性が最大値を有していると判定された場合（ステップＳ２０３：Ｙｅｓ）、このジッタボトム又はアシンメトリが“０”となるようなレーザパワー（即ち、この場合、ＡＲ特性が最大値を有するようなレーザパワー）が最適レーザパワーとして検出される。【０１０４】
このジッタボトム（即ち、ジッタ値が最小）又はアシンメトリが“０”となるようなレーザパワーに対応するＡＲ特性が最適であるか否かの判定動作について、具体的に図７及び図８に示す相関情報を用いて説明する。ここに、図７は、レーザパワーとＡＲ特性及びジッタ値の夫々との相関関係を示す相関情報であって、図８は、レーザパワーとＡＲ特性及びアシンメトリの夫々との相関関係を示す相関情報である。【０１０５】
ジッタ値及びＡＲ値等の再生品質を縦軸に、適宜変化させられたレーザパワーを横軸にとるグラフ上において、試しデータの再生により得られたジッタ値及びＡＲ値の夫々をプロットし、且つ近似曲線で結ぶことで、図７に示すような相関情報を得ることができる。係る近似曲線は、上述したように、例えば最小二乗法等の数学的又は統計的手法を用いて作成することができる。【０１０６】
図７に示すように、ジッタ値が最小（図７においては、ジッタ値＝“６．０％”）となるのは、レーザパワー＝“１５．８３ｍＷ”となっている場合である。このとき、ＡＲ特性を見ると、ＡＲ特性＝“２５．９％”を示している。他方、ＡＲ特性が最も大きな値となるのは、ＡＲ特性＝“２６．８％”となっている。従って、この場合は、ＡＲ特性が最も大きな値をとるようなレーザパワー（即ち、図７より“１５．５４ｍＷ”なるレーザパワー）が最適レーザパワーとして検出される。このようなレーザパワーを最適レーザパワーとして検出しても、ジッタ値は概ね７％前後の範囲に収まっており、例えば光ディスク１００の一具体例たるＤＶＤ−Ｒ／ＲＷの規格上良好な値を実現しているため、特段再生品質が悪化する等の問題は生じない。【０１０７】
同様に、アシンメトリ及びＡＲ値等の再生品質を縦軸に、適宜変化させられたレーザパワーを横軸にとるグラフ上において、試しデータの再生により得られたアシンメトリ及びＡＲ値の夫々をプロットし、且つ近似曲線で結ぶことで、図８に示すような相関情報を得ることができる。係る近似曲線は、上述したように、例えば最小二乗法等の数学的又は統計的手法を用いて作成することができる。【０１０８】
図８に示すように、アシンメトリが“０”となるのは、レーザパワー＝“１５．７６ｍＷ”となっている場合である。このとき、ＡＲ特性を見ると、ＡＲ特性＝“２６．５％”を示している。他方、ＡＲ特性が最も大きな値となるのは、ＡＲ特性＝“２６．８％”となっている。従って、この場合は、ＡＲ特性が最も大きな値をとるようなレーザパワー（即ち、図７より“１５．５４ｍＷ”なるレーザパワー）が最適レーザパワーとして検出される。このようなレーザパワーを最適レーザパワーとして検出しても、アシンメトリは概ね“−０．０２”程度の数値であり、例えば光ディスク１００の一具体例たるＤＶＤ−Ｒ／ＲＷの規格上良好な値を実現しているため、特段再生品質が悪化する等の問題は生じない。【０１０９】
以上のように、特に高速記録時には、ＡＲ特性が最大となるようなレーザパワーで光ディスクに情報を記録することで、その情報を再生した際の再生品質としてのジッタ値が最小、又はアシンメトリ値が“０”とならないような場合であっても、ジッタ値、アシンメトリ値は概ね許容範囲内に収まることが確認できる。本発明は高速記録した情報を再生した時のジッタ値の変化の度合いがレーザパワーの変化に対して緩やかであることに着目したものである。すなわち、一般に高速記録時には短い時間に高いレーザパワーのレーザ光ＬＢを記録媒体に照射するために、図９（ｂ）に示すように、記録されるピットは横に広がる傾向がある。記録ピットが横に広がると、そのピットを再生するときは再生信号振幅レベルが大きくなり、ジッタ値は良好となる傾向がある。また、レーザパワーの変化に対するアシンメトリ値の変化はジッタ値の変化とある程度の関連性をもって変化することが発明者によって確認されており、ジッタ値が良好になれば多少のレーザパワーの変動があってもジッタ値は大幅に劣化しないことに加え、アシンメトリ値も“０”付近を推移するため、ＡＲ特性が最大となるようにレーザパワーを変化させたとしても、ジッタ値及びアシンメトリは許容範囲内に収めることができるのである。【０１１０】
尚、上述の実施例ではＡＲ特性が最大値となるようなレーザパワーを最適レーザパワーとして検出しているがこれに限られるものではない。例えばジッタボトム又はアシンメトリが“０”となるようなレーザパワーに対応するＡＲ特性が好適であるようなレーザパワーを最適レーザパワーとして検出するように構成してもよい。但し、この第１動作例でいう「ＡＲ特性が好適」なる条件とは、本発明における「所定の第１基準」の一具体例であって、ＡＲ特性が光ディスク１００の規格上良好な値を示しているという趣旨であり、例えば光ディスク１００がＤＶＤ−Ｒの場合には、ＡＲ特性が１５％以上の値を実現しており、例えば光ディスク１００がＤＶＤ−ＲＷの場合には、ＡＲ特性が１０％以上の値を実現していることを示す。【０１１１】
更に、「ジッタボトム」という条件に代えて、「ジッタが好適である」という条件の場合にＡＲ特性が最大値（或いは、好適）であるかを判定するように構成してもよい。ここに、「ジッタ値が好適」なる条件とは、本発明における「所定の第２基準」の他の具体例であり、ジッタ値が光ディスク１００の規格上良好な値を示しているという趣旨であり、例えば光ディスク１００がＤＶＤ−Ｒ／ＲＷの場合には、ジッタ値が８％以下の値（より好ましくは、より小さな値）を実現していることを示す。【０１１２】
同様に、「アシンメトリが好適」という条件の場合にＡＲ特性が最大値（或いは、好適）であるかを判定するように構成してもよい。ここに、「アシンメトリが好適」とは、本発明における「所定の第２基準」の他の具体例であって、アシンメトリが光ディスク１００の規格上良好な値を示しているという趣旨であり、例えば光ディスク１００がＤＶＤ−Ｒ／ＲＷの場合には、アシンメトリが−５％から１５％の範囲の値（より好ましくは、０％の値）を実現していることを示す。【０１１３】
また、必要に応じては、アシンメトリが好適な範囲になく且つジッタ値とＡＲ特性の双方が好適な範囲にある（より好ましくは、ジッタボトムで且つＡＲ特性が最大値を有するような）レーザパワーを最適レーザパワーとして検出してもよいし、ジッタ値が好適な範囲になく且つアシンメトリとＡＲ特性の双方が好適な範囲にある（より好ましくは、アシンメトリが“０”で且つＡＲ特性が最大値を有するような）レーザパワーを最適レーザパワーとして検出してもよい。或いは、高速記録時のＬＰＰ信号のエラーレートを低下させるという観点を強調すれば、ジッタ値とアシンメトリとの双方が好適な範囲になくとも、ＡＲ特性がより好適な範囲にある（より好ましくは、最大値を有する）レーザパワーを最適レーザパワーとして検出するように構成してもよい。但し、より好適な再生品質を実現する（即ち、適切にデータを記録する）という観点からは、ジッタ値が最小或いはアシンメトリが“０”となるような場合においてＡＲ特性が最大値（或いは、好適）となるようなレーザパワーを最適レーザパワーとして検出することがより好ましいし、アシンメトリとジッタ値とＡＲ特性との夫々が好適な範囲にあるレーザパワーを最適レーザパワーとして検出することが好ましい。【０１１４】
更に、図７や図８に示すような相関情報は、本発明における「格納手段」の一具体例たるメモリ５６０に記録するように構成してもよいし、或いは光ディスク１００の所定の記録領域に記録するように構成してもよい。また、図４のステップＳ２０４又はＳ２０５において検出された最適レーザパワーも、メモリ５６０に格納されるように構成してもよいし、或いは光ディスク１００の所定の記録領域に記録するように構成してもよい。【０１１５】
このように特に高速記録時には通常のＯＰＣで重視するアシンメトリやジッタ値によらずとも、再生時のＡＲ特性を特に重視して最適レーザパワーを検出することで、特に高速な記録速度でデータが記録された場合であっても、良好な再生品質を得ることができる。これは高速記録時に光ディスク１００上に形成される記録ピットと低速記録時に光ディスク１００上に形成される記録ピットとの相違に起因している。この記録ピットの相違について図９を参照して具体的に説明する。ここに、図９は、高速記録時と低速記録時の夫々において形成される記録ピットの形状を概念的に説明する斜視図である。【０１１６】
図９（ａ）に示すように、低速記録時（具体的には、概ね１倍速や２倍速の記録速度での記録時）においては、光ディスク１００の回転速度が相対的に遅いため、レーザ光ＬＢを照射する時間が高速記録時（具体的には、概ね４倍速以上の記録速度での記録時）よりも長くなる。従って、記録ピットは適切なピット形状を有して形成される。【０１１７】
これに対して、図９（ｂ）に示すように、高速記録時には、光ディスク１００の回転速度が相対的に速いため、レーザ光ＬＢを照射する時間が低速記録時よりも短くなる。加えて、光ディスク１００の回転速度が増加するにつれて、記録動作に要するレーザ光ＬＢのパワーも増加する。従って、短時間で且つ高レーザパワーのレーザ光ＬＢの照射に起因して、記録ピットがグルーブトラックＧＴ上のみならずＬＰＰ上にまで形成されてしまう。これにより、ＬＰＰの読取特性であるＡＲ特性が大幅に悪化してしまう。【０１１８】
しかるに、本実施例に係る情報記録装置１によれば、再生品質としてＡＲ特性を重視して最適レーザパワーを検出するため、高速記録時においても、低速記録時のように適切な形状を有する記録ピットを形成することができる。即ち、高速記録時においても良好な再生品質（特に、ＡＲ特性）を得ることが可能となる。【０１１９】
このとき、図９（ｃ）の右側に示すような駆動パルス（即ち、トップパルスとミドルパルスとを有する駆動パルス）に基づきレーザ光ＬＢを照射することがより好ましい。このような駆動パルスに基づいてレーザ光ＬＢを照射することで、図９（ｂ）に示すようにＬＰＰの部分にまで記録マークを形成されることをより効果的に防ぐことが可能となる。即ち、図９（ｃ）の左側に示すように、高速記録時であっても、低速記録時と同様に適切な形状の記録マークをより好適に形成することが可能となる。これは、図９（ｃ）に示すようなミドルパルスに対応する駆動パルスに基づいてレーザ光ＬＢを照射すれば、当該ミドルパルスに対応する期間のレーザパワーを相対的に小さくし、記録マークの膨らみを防ぐことができる。また、ＡＲ特性のみを重視するのではなく、他の再生品質たるアシンメトリやジッタ値ももちろん良好な特性が得られるようなレーザパワーを最適レーザパワーと検出しているため、より良好な再生品質を得ることが可能である。即ち、従来の情報記録装置と比較して、記録されるデータの再生品質をより向上させることが可能となる。【０１２０】
以上の結果、本実施例に係る情報記録装置１によれば、好適なレーザパワーたる最適レーザパワーを好適に検出することができる。このため、この最適レーザパワーに応じた駆動パルスにてレーザ光ＬＢを照射するように光ピックアップ５０１を制御すれば、記録されるデータの再生品質をより向上させることが可能となる。【０１２１】
また、本実施例では、本発明における「プリ情報」の一具体例としてＬＰＰを用いて説明をしたが、もちろんこれに限られるものではない。例えば、光ディスク１００の一具体例としてのＤＶＤ＋Ｒ／ＲＷでは、グルーブトラックを所定周期でうねらせることによりウォブルを作成しており、また該ウォブルに例えばＢＰＭ（Bi Phase Modulation）変調を施すことで本発明における「プリ情報」の一具体例を記録している。従って、この場合は、再生品質として、ＡＲ特性に代えてウォブルの読取エラーレート等（例えば、ＡＴＩＰ（Absolute Time In Pre-groove）等）により本実施例における各種動作（特に、最適比の検出動作）を行なうことが好ましい。【０１２２】
また、ＡＲ特性に加えて又は代えて、再生品質としてＲＦ信号の変調度やデータを再生したときの誤り個数をカウントすることで求められるエラーレートであるＰＩエラーやＲＦ信号自体のエラーレート等を用いるように構成してもよい。【０１２３】
（３）第２動作例
続いて、図１０を参照して、第２動作例について説明する。ここに、図１０は、本実施例の第２動作例に係る最適レーザパワーの検出動作の流れを概念的に示すフローチャートである。【０１２４】
図１０に示すように、先ず光ディスク１００をローディングし（ステップＳ１０１）、その後、当該光ディスク１００に対して基準記録速度である１倍速の記録速度に対して４倍速以上の記録速度で記録動作を行なうか否かが判定される（ステップＳ３０１）。【０１２５】
この判定の結果、４倍速以上の記録速度で記録動作を行なうと判定された場合（ステップＳ３０１：Ｙｅｓ）、上述の第１動作例において例示したように最適レーザパワーが検出される（ステップＳ１０２）。即ち、ＡＲ特性の向上に重点をおいて最適レーザパワーを検出する。そして、その後の記録動作が行なわれ（ステップＳ１０３）、必要に応じて記録動作を継続したり或いは記録動作を終了する。【０１２６】
他方、４倍速未満の記録速度（例えば、１倍速や２倍速等の記録速度）で記録動作を行うと判定された場合（ステップＳ３０１：Ｎｏ）、通常のＯＰＣ動作を行なって最適レーザパワーを検出する（ステップＳ６０２）。具体的には、ジッタボトムとなるレーザパワー或いはアシンメトリが“０”となるレーザパワーを最適レーザパワーとして検出する。そして、その後に記録動作が行なわれる（ステップＳ１０３）。ここでは、ステップＳ３０２において検出された最適レーザパワーに基づいてレーザ光ＬＢを照射することで記録動作を行なう。そして、必要に応じて記録動作を継続したり或いは記録動作を終了する。【０１２７】
このように、記録速度に応じて最適レーザパワーを検出する手法を適宜切り替えることで、特にＡＲ特性の悪化が大きな問題となる高速記録時（即ち、４倍速以上の記録速度での記録時）においては上述したようにＡＲ特性の向上に重点をおいて、最適レーザパワーを検出している。これにより、高速記録時においては、上述した各種利益を享受することができる。【０１２８】
他方、ＡＲ特性の悪化がそれ程大きな問題とならない低速記録時（即ち、４倍速未満の記録速度での記録時）には、このようにＡＲ特性の向上に重点をおいて最適レーザパワーを検出しなくとも、ＡＲ特性をそれ程悪化させることなく、好適にデータを記録することができる。むしろ低速記録時には、ジッタ値やアシンメトリの悪化の方が大きな問題となるため、これらジッタ値やアシンメトリの向上を図ることができるように最適レーザパワーを検出することが望まれる。従って、第２動作例によれば、低速記録時においても再生品質を悪化させることなく、適切にデータを記録することができる。【０１２９】
もちろんこの変形例においても、低速記録時に記録されたデータの記録品質によっては、必要に応じて上述したようにＡＲ特性の向上に重点をおいて最適レーザパワーの検出を行ってもよいことはいうまでもない。【０１３０】
更に、記録速度の変化に関わらず、ＡＲ特性の向上に重点をおいて最適レーザパワーを検出するか或いはアシンメトリやジッタ値の向上に重点をおいて最適レーザパワーを検出するかを適宜選択可能に構成してもよい。このような選択は、本発明における「選択手段」の一具体例たるＣＰＵ５５０の動作により自動的に行われてもよい。この場合、例えば実際に記録したデータの再生品質を必要に応じて測定することで、いずれの手法により最適レーザパワーを検出するかを選択するように構成してもよい。或いは本発明における「選択手段」の他の具体例たるリモコンや操作ボタンやタッチパネル等の外部入力装置を用いてなされる当該情報記録装置１のユーザの指示に基づいて行われてもよい。【０１３１】
また本考案はＡＲ特性の向上に重点をおいて記述したが、DVD-R/RW以外のシステムにおいては、本発明でＬＰＰとして説明したプリ情報に相当する情報として、例えばDVDRAMではエンボスピットにより生成されるCAPA信号、DVD+R/RWやBul-Rayシステムではグルーブウォブルにより生成されるウォブル信号の位相変調でアドレスやその他重要な信号を記録している。そして、これらの信号は記録後にその信号品質が劣化する共通な問題点を持っているため、同様に本考案が有効であることは自明である。【０１３２】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１３３】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びに、記録制御用のコンピュータプログラムもまた本発明の技術的範囲に含まれるものである。
【産業上の利用可能性】
【０１３４】
本発明に係る情報記録装置及び方法、並びにコンピュータプログラムは、例えば、ＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2005109409.tif 000002
【図２】
2005109409.tif 000003
【図３】
2005109409.tif 000004
【図４】
2005109409.tif 000005
【図５】
2005109409.tif 000006
【図６】
2005109409.tif 000007
【図７】
2005109409.tif 000008
【図８】
2005109409.tif 000009
【図９】
2005109409.tif 000010
【図１０】
2005109409.tif 000011
【国際調査報告】
2005109409.tif 000012
2005109409.tif 000013